(57)【要約】【課題】マット上に横になった使用者の入眠期を加速度センサーにより検知して、マットに電界を発生させて、使用者の眠りに最適な脳波の周波数に誘導する。【解決手段】マット６上の使用者の体動を加速度センサー２で検知して、得られた体動信号を体動判定部３に送り、該体動判定部３が、使用者の動きが少なくなったことを示す体動信号を受けると、その使用者が入眠期に入ったと判定し、該体動判定部３から電界出力制御部４へ信号が送られ、該電界出力制御部４に、予めプログラミングされたプログラムに基づく指令信号が、電界出力部５に送られて、前記マット６に電界出力を変動させる出力信号が送信されて、前記マット６の電界発生部７から発生する電界によって、レム睡眠とノンレム睡眠の周期に合わせた波長の周波数を順次生成させ、前記マット６上の使用者の脳波を眠りに最適な周波数に変動させて誘導する。【選択図】図３
2018038451.tif 000002
【特許請求の範囲】
【請求項１】
使用者の体動を検知することができる加速度センサーまたは電波センサーと、体動判定部、電界出力制御部および電界出力部とを備えて形成されたコントローラーを電界形成用のマットに一体にまたは間隔を有して連結し、前記マット上の使用者の体動を前記加速度センサーまたは電波センサーで検知して、得られた体動信号を前記体動判定部に送り、該体動判定部が、使用者の動きが少なくなったことを示す体動信号を受けると、その使用者が入眠期に入ったと判定して、該体動判定部から電界出力制御部へ信号が送られ、入眠期、睡眠中期および睡眠後期に至るレム睡眠とノンレム睡眠の周期に合わせて、レム睡眠とノンレム睡眠に対応する波長の周波数を順次生成させるべく、該電界出力制御部に予めプログラミングされたプログラムに基づく指令信号が電界出力部に送られて、前記マットに電界出力を変動させる出力信号が送信され、前記マットから発生する電界によって、レム睡眠とノンレム睡眠に対応する波長の周波数を順次生成させることにより、前記マット上の使用者の脳波を眠りに最適な周波数に誘導するようにしたことを特徴とする入眠検知が可能な電界作動型睡眠補助具。
【請求項２】
請求項１記載の入眠検知が可能な電界作動型睡眠補助具において、温熱機能を併設し、脳波を眠りに最適な周波数に誘導する睡眠誘導機能と温熱機能のいずれか、または両方を選択使用できるようにしたことを特徴とする入眠検知が可能な電界作動型睡眠補助具。
【発明の詳細な説明】
【技術分野】
【０００１】
本発明は、体動を検出することができる加速度センサーまたは電波センサーを備えたコントローラーを電界形成用のマットに一体にまたは間隔を有して連結し、該マット上に横になっている使用者の体動を前記加速度センサーまたは電波センサーにより検知して、使用者の動きが少なくなったことを検知すると、その使用者が入眠期に入ったと判定し、前記マットから発生する電界によって、入眠期、睡眠中期および睡眠後期に至るレム睡眠とノンレム睡眠の周期に合わせて、レム睡眠とノンレム睡眠に対応する波長の周波数を順次生成させて、前記マット上の使用者の脳波を眠りに最適な周波数に誘導する一方、前記マットを入眠期検出後に減温し、更に睡眠後期で加温することにより快適な眠りを提供することができる、入眠検知が可能な電界作動型睡眠補助具に関するものである。
【背景技術】
【０００２】
従来、使用者の熟睡に寄与することができる睡眠補助具として、加速度センサーまたは電波センサーを使用することで使用者の熟睡に寄与することができる睡眠補助具は実用に供されたものは存在しない。そして、使用者の熟睡に寄与することができる睡眠補助具に関する先行特許文献を遡及検索したところ、下記２件の特許文献に示す「電界作動型の睡眠補助器」が公知である。
【先行技術文献】
【特許文献】
【０００３】
【特許文献１】特許第３６２５８９８号公報
【特許文献２】特許第４４１８４９８号公報
【発明の概要】
【発明が解決しようとする課題】
【０００４】
前記特許文献１記載の発明は、電界作動型の睡眠補助器に関し、入眠期、睡眠中期、睡眠後期によって電界発生方式を切り替えるようにした睡眠補助器であるが、この特許文献１記載の発明では、使用者のその日の体調や精神状態等により個人差のある入眠期を適正に検出できないので、適正な電界を使用者に印可させることができず、睡眠誘導を目的とした脳波誘導を的確に行うことができないという課題があった。
【０００５】
前記特許文献２記載の発明は、電界作動型の睡眠補助器に関し、入眠期に個人差があること対応することができる睡眠補助器であるが、この特許文献２記載の発明は、あくまでも、電界を発生させることで強制的に使用者の状態を入眠期に近づけるようにしたもので、個人差のある入眠期を検出するものではなく、前記特許文献１と同様、使用者のその日の体調や精神状態等により個人差のある入眠期を適正に検出できないので、適正な電界を使用者に印可させることができず、睡眠誘導を目的とした脳波誘導を的確に行うことができないという課題があった。
【０００６】
本発明は、前記従来の課題を解決すべくなされたもので、電界形成用のマット上に横になっている使用者の入眠期が、その日の体調や精神状態等により個人差のあるのを、加速度センサーまたは電波センサーで使用者の体動を検知して、その使用者の入眠期を適正に検知して、体動判定部が入眠期に入ったと判定すると、該体動判定部から電界出力制御部へ信号が送られ、該電界出力制御部に予めプログラミングされたプログラムに基づく指令信号により、前記マットに電界出力を変動させる出力信号が送信されて、該出力信号により前記マットから発生する電界によって、レム睡眠とノンレム睡眠に対応する波長の周波数を順次生成させることにより、前記マット上の使用者の脳波を眠りに最適な周波数に誘導するようにして、使用者の熟睡に寄与することができる入眠検知が可能な電界作動型睡眠補助具を提供しようとするものである。
【課題を解決するための手段】
【０００７】
本発明は、前記課題を解決するため、請求項１において、
使用者の体動を検知することができる加速度センサーまたは電波センサーと、体動判定部、電界出力制御部および電界出力部とを備えて形成されたコントローラーを電界形成用のマットに一体にまたは間隔を有して連結し、前記マット上の使用者の体動を前記加速度センサーまたは電波センサーで検知して、得られた体動信号を前記体動判定部に送り、該体動判定部が、使用者の動きが少なくなったことを示す体動信号を受けると、その使用者が入眠期に入ったと判定して、該体動判定部から電界出力制御部へ信号が送られ、入眠期、睡眠中期および睡眠後期に至るレム睡眠とノンレム睡眠の周期に合わせて、レム睡眠とノンレム睡眠に対応する波長の周波数を順次生成させるべく、該電界出力制御部に予めプログラミングされたプログラムに基づく指令信号が電界出力部に送られて、前記マットに電界出力を変動させる出力信号が送信され、前記マットから発生する電界によって、レム睡眠とノンレム睡眠に対応する波長の周波数を順次生成させることにより、前記マット上の使用者の脳波を眠りに最適な周波数に誘導するようにしたことを特徴とする入眠検知が可能な電界作動型睡眠補助具が提供され、
更に、請求項２において、
請求項１記載の入眠検知が可能な電界作動型睡眠補助具において、温熱機能を併設し、脳波を眠りに最適な周波数に誘導する睡眠誘導機能と温熱機能のいずれか、または両方を選択使用できるようにしたことを特徴とする入眠検知が可能な電界作動型睡眠補助具が提供される。
【発明の効果】
【０００８】
本発明は、請求項１記載の構成とすることにより、マット上に横になった使用者の動きが少なくなったことを示す体動信号を体動判定部が受信すると、該体動判定部が、使用者により個人差がある入眠期につき、その使用者が入眠期に入ったと判定し、電界出力制御部から電界出力部を介して、前記マットに電界出力を変動させる出力信号が送信されて、前記出力信号により前記マットから発生する電界によって、入眠期、睡眠中期および睡眠後期に至るレム睡眠とノンレム睡眠の周期に合わせて繰り返して、前記レム睡眠とノンレム睡眠に対応する波長の周波数を順次生成させて、前記マット上の使用者の眠りに最適な脳波の周波数に誘導して、使用者を最適な眠りに誘導することができる。
また、本発明は、請求項２記載の構成とすることにより、前記請求項１記載の入眠検知が可能な電界作動型睡眠補助具に、温熱を発生させるための機能を併設して、睡眠誘導機能と温熱機能のいずれか、または両方を選択して使用することができる。
更に、本発明においては、電界形成用のマット上に横になっている使用者の入眠期が、その日の体調や精神状態等により個人差のあるのを、加速度センサーまたは電波センサーを使用することにより、使用者ごとに個人差のある入眠期を適正に検出できるので、レム睡眠とノンレム睡眠に対応する波長の周波数を順次生成させて、前記マット上の使用者の脳波を眠りに最適な周波数に変動させて誘導する一方、前記マットを入眠期検出後に減温し、更に睡眠後期で加温することにより快適な眠りを提供することができる。
【図面の簡単な説明】
【０００９】
【図１】睡眠の種類と脳波の関係を示す図である。
【図２】脳波の各種類と周波数およびその時の生体の状況を説明する説明図である。
【図３】本発明入眠検知が可能な電界作動型睡眠補助具の第１の実施例を示すブロック図である。
【図４】本発明入眠検知が可能な電界作動型睡眠補助具の第１の実施例を示す概略斜視図である。
【図５】本発明入眠検知が可能な電界作動型睡眠補助具の第１の実施例において、コントローラーを取外して示す要部の拡大斜視図である。
【図６】本発明入眠検知が可能な電界作動型睡眠補助具の第２の実施例を示すブロック図である。
【図７】本発明入眠検知が可能な電界作動型睡眠補助具の第３の実施例を示すブロック図である。
【図８】本発明入眠検知が可能な電界作動型睡眠補助具の第３の実施例を示す概略斜視図である。
【図９】本発明入眠検知が可能な電界作動型睡眠補助具の第４の実施例を示すブロック図である。
【実施例】
【００１０】
本発明は、電界形成用のマット上に横になっている使用者の体動を、センサーで継続して検知することにより、使用者の動きが少なくなったことを検知すると、体動判定部が入眠期に入ったと判定し、該体動判定部から電界出力制御部へ信号が送られ、該電界出力制御部に予めプログラミングされたプログラムに基づく指令信号により、前記マットに電界出力を変動させる出力信号が送信されて、該出力信号により前記マットから発生する電界によって、レム睡眠とノンレム睡眠に対応する波長の周波数を順次生成させるようにした入眠検知が可能な電界作動型睡眠補助具である。
【００１１】
一般に、「眠り」は、「レム睡眠」と「ノンレム睡眠」という２種類の異なる性質から成り立っている。「レム睡眠」は、急速眼球運動を伴う眠りで、眠っていても目玉が動き、脳は覚醒に近い浅い眠りである。一方、「ノンレム睡眠」は、レム睡眠でない眠りで、ぐっすりと熟睡した状態の眠りであり、「ノンレム睡眠」は睡眠の深さによって、更に４段階の周期に分けられている。
【００１２】
前記「レム睡眠」と「ノンレム睡眠」の睡眠中においては、ほぼ周期的なリズムで起こる、レムおよびノンレム睡眠周期がある。図１に示すように、ノンレム睡眠を経て、レム睡眠に入るまでを「睡眠単位」と呼び、その間およそ９０分かかる。成人の場合、一晩に８時間眠る人は睡眠単位を５回、６時間ならば４回、「レム睡眠」と「ノンレム睡眠」を繰返している。その際、レム睡眠が終わるごとに、すなわち９０分ごとに目覚めやすくなる。
【００１３】
また、脳波とは、脳で観測される電位変化のことで、生体は１日における生活環境状態によってα波、β波、θ波およびδ波の４種類の脳波を出していると、一般に云われている（但し、前記「出している」とは、「α波等と呼ばれる周波数成分が多く含まれた波形が観測される」というのが正確な意味である）。そして、前記脳波の各種類と周波数およびその時の生体の状況は、図２に示すような定型化された特徴を有している。
【００１４】
本発明は、使用者が、電界形成用のマット上で眠りについた後、体動を検知できるセンサーにより「入眠期」を検知すると、９０分周期で、前記レム睡眠とノンレム睡眠に対応する波長の周波数を、使用者が横になっているマットに生成させて、該使用者の眠りの深さに合わせて、前記周波数になるよう脳波を誘導して、使用者の熟睡に寄与することができる入眠検知が可能な電界作動型睡眠補助具である。以下、本発明入眠検知が可能な電界作動型睡眠補助具につき、図面に基づいて詳細に説明する。本発明における、主要な構成部材である使用者の体動を検知することができるセンサーとしては、加速度センサーと電波センサーのいずれも採用することができる。
【００１５】
先ず、体動を検知できるセンサーとして、加速度センサーを使用するものを本発明の第１の実施例として説明する。すなわち、図３において、１はコントローラーであって、該コントローラー１は、加速度センサー２が体動判定部３に接続され、且つ該体動判定部３は電界出力制御部４に接続され、更に該電界出力制御部４は電界出力部５に接続されて形成されると共に、前記コントローラー１は電界形成用のマット６の端縁部に一体に連結固定されて形成されている。なお、前記加速度センサー１は、マット６上に横になっている利用者のＸＹＺ方向の動きを検知することができるものである。
【００１６】
また、前記マット６には、従来公知の電位治療器におけると同様、電界形成用の導線より成る電界発生部７が内設されていて、前記コントローラー１の電界出力制御部４からの指令信号により、電界出力部５を介して、前記マット６から電界を発生させると共に、該マット６から発生する電界によって、使用者の入眠期、睡眠中期および睡眠後期に至るレム睡眠とノンレム睡眠の周期に合わせて、レム睡眠とノンレム睡眠に対応する波長の周波数を順次生成させることにより、前記マット６上の使用者の脳波を眠りに最適な周波数に変動させて誘導するよう形成されている。
【００１７】
前記マット６は、電界形成用の導線より成る電界発生部７が内設され、且つ該マット６上において、横になっている使用者の体動を検知する加速度センサー２を装置したコントローラー１が前記マット６の端縁部に一体に連結固定されていると共に、前記コントローラー１には、前記加速度センサー２で検知された使用者の体動信号を受信して、体動の状態を判定する体動判定部３と、該体動判定部３によって判定された結果に基づき、前記マット６における電界発生を制御する電界出力制御部４、および該電界出力制御部４からの指令により、前記マット６に電界を発生させる電界出力部７がそれぞれ設置されている。なお、図中、８はコントローラー１に電源を投入するための電源部、９は電源コードである。
【００１８】
前記体動判定部３によって判定された結果に基づき、前記マット６における電界発生を制御する電界出力制御部４には、入眠期、睡眠中期および睡眠後期に至るレム睡眠とノンレム睡眠の周期に合わせて、レム睡眠とノンレム睡眠に対応する波長の周波数を順次生成させるべく、電界出力を変動できるよう、予めプログラミングされたプログラムが組み込まれており、該プログラムに基づく指令信号により、前記マットに電界出力を変動させる出力信号が送信されるのである。
【００１９】
前記加速度センサー２を備えたコントローラー１は、図４・５に示すように、前記マット６の端縁部に一体に連結固定されている。すなわち、前記マット６の一角が切り欠かれて切欠き部１０が形成され、該切欠き部１０に硬質樹脂製のＬ字状の取付片１１が一体に固定され、且つ該取付片１１には、マット側の雄コネクター１２が設けられると共に、前記コントローラー１にもコントローラー側の雌コネクター１３（図６）が設けられ、且つ前記雄コネクター１２と雌コネクター１３を連結することにより、該コントローラー１がマット６に一体に連結固定され、前記加速度センサー２が該マット６上の使用者の体動を適正に検知できるよう形成されている。
【００２０】
前記構成より成る加速度センサー２を使用する第１の実施例の作用について説明する。先ず、前記コントローラー１の電源をＯＮし、前記マット６上において電界を発生できるような状態にした後、利用者が眠りに就くべく、前記マット６上において横になると、前記加速度センサー２は利用者の体動を検知し続け、その間、該加速度センサー２で検知された体動信号は継続して前記体動判定部３に送られ、利用者の動きが少なくなったことを、前記加速度センサー２が検知すると、前記体動判定部３が、前記利用者が入眠期に入ったと判定し、該体動判定部３から電界出力制御部４へ信号が送られて、該電界出力制御部４に予めプログラミングされたプログラムに基づく指令信号により、前記電界出力部５を介して、前記マット６に電界出力を変動させる出力信号が送信されて、該出力信号により前記マット６から発生する電界によって、入眠期、睡眠中期および睡眠後期に至るレム睡眠とノンレム睡眠の周期に合わせて、レム睡眠とノンレム睡眠に対応する波長の周波数を順次生成させることにより、前記マット６上の使用者の脳波を眠りに最適な周波数に変動させて誘導するのである。
【００２１】
前記コントローラー１の電界出力制御部４からの指令信号により、電界出力部５を介して前記マット６の電界発生部７へ電界の発生が指令されるが、その指令信号は予め電界出力制御部４に予めプログラミングされたプログラムに従って指令信号が送られ、これにより前記マット６において所定の波長の周波数が生成されるよう形成されている。すなわち、図１に示すように、レム睡眠を経て、ノンレム睡眠に入るまで、およそ９０分かかる。成人の場合、前記したように、一晩に８時間眠る人は睡眠単位を５回、６時間ならば４回、前記レム睡眠とノンレム睡眠とを繰返している。その際ノンレム睡眠が終わるごとに、すなわち９０分ごとに目覚めやすくなる。本発明は、使用者が、前記マット５上で眠りについた後（入眠期が検知された後）に、９０分周期で、眠りの深さに合わせて脳波を誘導できるよう、θ波（４〜７Ｈｚ）とδ波（０．５〜３Ｈｚ）の周波数を電界作動により生成させて、前記各周波数により使用者の眠りに最適な脳波の周波数に誘導するのである。
【００２２】
次に、本発明入眠検知が可能な電界作動型睡眠補助具の第２に実施例について説明する。前記第１の実施例を示す図３においては、コントローラー１とマット６には、電界を発生させるための装置しか備えていないが、図６のブロック図に示す第２の実施例は、前記第１の実施例における電界を発生させるための装置の外、温熱を発生させるための装置を併設している。これにより電界による睡眠誘導機能を使用することもできるし、また前記睡眠誘導機能に加えて、温熱機能を使用することができる。
【００２３】
図６に示す第２の実施例において、前記電界による睡眠誘導機能と、温熱機能を同時または排他的に使用する場合、図６に示すように、前記図３に示すコントローラー１に設置された前記体動判定部３に、更に温熱出力制御部１４を接続すると共に、該温熱出力制御部１４に温熱出力部１５を接続してコントローラー１を形成する一方、前記マット６に温熱発生部１６が設けられている。なお、図６の第２の実施例の場合、温熱発生部１６はヒーター線（図示せず）で形成する必要があるが、該ヒーター線は、前記図３の電界発生部７の機能を兼ねることができるので、第２の実施例においては。電界発生部７と温熱発生部１６の両機能を備えたヒーター線を使用すればよい。そして、使用者が睡眠誘導機能を使用するか、あるいは温熱機能を使用するか、あるいは両方を使用するかは、図示していないが、コントローラー１によって切換えて使用することになる。なお、前記温熱出力制御部１３には、入眠期検出後に減温し、更に睡眠後期で加温することができるよう、予めプログラミングされたプログラムが組み込まれており、該プログラムに基づく指令信号により、前記マット６の温熱発生部１６の温度を加温または減温させる出力信号が送信されるのである。
【００２４】
図６に示す第２の実施例において、電熱機能を使用する場合、先ず、前記コントローラー１の電源をＯＮし、マット６上において温熱を発生できるような状態にした後、利用者が眠りに就くべく、前記マット６上において横になると、前記加速度センサー２は利用者の体動を検知し続け、その間、該加速度センサー２で検知された体動信号は継続して、前記体動判定部３に送られ、利用者の動きが少なくなったことを、前記加速度センサー２が検知すると、前記体動判定部３が、前記利用者が入眠期に入ったと判定し、該体動判定部３から温熱出力制御部１４へ信号が送られて、該温熱出力制御部１４に予めプログラミングされたプログラムに基づく指令信号により、前記温熱出力部１５を介して、前記マット６を温熱発生部１６で加温または減温する。
【００２５】
前記温熱出力制御部１４は、前記入眠期検知後に減温し、更に睡眠後期で加温することができるよう、予めプログラミングされたプログラムが組み込まれている。
【００２６】
更に、体動を検知するセンサーとして、電波センサーを使用するものを本発明の第３の実施例として説明する。すなわち、図７において、２１はコントローラーであって、該コントローラー２１は、電波センサー２２が体動判定部２３に接続され、且つ該体動判定部２３は電界出力制御部２４に接続され、更に該電界出力制御部２４は電界出力部２５に接続されて形成されると共に、前記電界形成用のマット２６に設置された雄コネクター２７と、前記コントローラー２１に接続コード２９を介して接続された雌コネクター２８とが連結され、これにより前記コントローラー２１は、図８に示すように、前記第１の実施例における一体に連結固定する構成とは異なり、前記マット２６から間隔を有して接続される。前記電波センサー２２は、マット２６上に横になっている利用者の反射波により使用者の動きを検出することができるものである。なお、図中、３０はコントローラー２１に電源を投入するための電源部、３１は電源コードである。
【００２７】
また、前記マット２６には、従来公知の電位治療器におけると同様、電界形成用の導線より成る電界発生部３２が内設されていて、前記コントローラー２１の電界出力制御部２４からの指令信号により、電界出力部２５を介して、前記マット２６から電界を発生させると共に、該マット２６から発生する電界によって、使用者の入眠期、睡眠中期および睡眠後期に至るレム睡眠とノンレム睡眠の周期に合わせて、レム睡眠とノンレム睡眠に対応する波長の周波数を順次生成させることにより、前記マット２６上の使用者の脳波を眠りに最適な周波数に変動させて誘導するよう形成されている。そして、本発明の第３の実施例と前記第１の実施例とは、体動を検知するセンサーが異なるだけで、その作用および効果は、前記第１の実施例と同一なので説明を省略する。
【００２８】
そして更に、本発明入眠検知が可能な電界作動型睡眠補助具の第４に実施例について説明する。前記第３の実施例を示す図７においては、コントローラー２１とマット２６には、電界を発生させるための装置しか備えていないが、図９のブロック図に示す第４の実施例は、電界を発生させるための装置の外、温熱を発生させるための装置を併設している。これにより電界による睡眠誘導機能を使用することもできるし、また前記睡眠誘導機能に加えて、温熱機能を使用することができる。
【００２９】
図９に示す第４の実施例において、前記電界による睡眠誘導機能と、温熱機能を選択的に使用する場合、図９に示すように、前記図７におけるコントローラー２１に設置された記体動判定部２３に、更に温熱出力制御部３３を接続すると共に、該温熱出力制御部３３に温熱出力部３４を接続してコントローラー２１を形成する一方、マット２６に温熱発生部３５が設けられている。なお、図９の第４の実施例の場合、温熱発生部３５はヒーター線（図示せず）で形成する必要があるが、該ヒーター線は、前記図７の電界発生部２５の機能を兼ねることができるので、第４の実施例においては。電界発生部３２と温熱発生部３５の両機能を備えたヒーター線を使用すればよい。そして、使用者が睡眠誘導機能を使用するか、あるいは温熱機能を使用するか、あるいは両方を使用するかは、図示していないが、コントローラー２１によって切換えて使用することになる。
【００３０】
また、前記温熱出力制御部３３には、前記電界出力制御部２４と同様、入眠期検出後に減温し、更に睡眠後期で加温することにより快適な眠りを提供することができるよう、予めプログラミングされたプログラムが組み込まれており、該プログラムに基づく指令信号により、前記マット２６の温熱発生部３５の温度を加温または減温させる出力信号が送信されるのである。そして、本発明の第４の実施例と前記第２の実施例とは、体動を検知するセンサーが異なるだけで、その作用および効果は、前記第２の実施例と同一なので説明を省略する。
【００３１】
なお、本発明入眠検知が可能な電界作動型睡眠補助具は、使用者が入眠期後に何らかの理由で覚醒した場合は、再度体動検知による入眠検知を行い、睡眠中期および睡眠後期に至る過程において、何らかの理由により覚醒した場合は、使用者は前記コントローラーの電源を一旦ＯＦＦとし、再度眠りに就こうとするときに、該コントローラーの電源をＯＮして、入眠期の検知に戻り、再度入眠を検知するものである。
【符号の説明】
【００３２】
１  コントローラー
２  加速度センサー
３  体動判定部
４  電界出力制御部
５  電界出力部
６  マット
７  電界発生部
８  電源部
９  電源コード
１０  切欠き部
１１  取付片
１２  雄コネクター
１３  雌コネクター
１４  温熱出力制御部
１５  温熱出力部
１６  温熱発生部
２１  コントローラー
２２  電波センサー
２３  体動判定部
２４  電界出力制御部
２５  電界出力部
２６  マット
２７  雄コネクター
２８  雌コネクター
２９  接続コード
３０  電源部
３１  電源コード
３２  電界発生部
３３  温熱出力制御部
３４  温熱出力部
３５  温熱発生部
【図１】
2018038451.tif 000003
【図２】
2018038451.tif 000004
【図３】
2018038451.tif 000005
【図４】
2018038451.tif 000006
【図５】
2018038451.tif 000007
【図６】
2018038451.tif 000008
【図７】
2018038451.tif 000009
【図８】
2018038451.tif 000010
【図９】
2018038451.tif 000011